(57)【特許請求の範囲】
【請求項１】
底面が開放された容器であって、飼育水槽の砂床を被覆して、前記砂床とその近傍の飼育水を前記飼育水槽の他の領域の飼育水から隔離する容器と、
前記容器に被覆された前記砂床を掘削撹拌し、前記容器内の飼育水と混合する撹拌混合手段と、
前記容器内の飼育水を加熱して、前記飼育水中の微生物を殺虫する加熱殺虫手段と
を備える水中微生物駆除装置。
【請求項２】
前記容器の内部の水の温度を所望の温度に保持する温度調整手段を備えること
を特徴とする請求項１に記載の水中微生物駆除装置。
【請求項３】
前記容器は断熱層を備えた断熱容器であること
を特徴とする請求項１又は請求項２記載の水中微生物駆除装置。
【請求項４】
前記撹拌混合手段は空気噴出手段を備えること
を特徴とする請求項１乃至請求項３の何れかに記載の水中微生物駆除装置。
【請求項５】
前記容器に連結されて、前記容器の内部上層の飼育水を排出する管を備えること
を特徴とする請求項１乃至請求項４のいずれかに記載の水中微生物駆除装置。
【請求項６】
前記容器は、前記撹拌混合手段と前記加熱殺虫手段を備える微生物収集領域と、気泡収集管を備える微生物排出領域に区画され、
前記微生物収集領域内の飼育水を吸引して、前記微生物排出領域に排出する吸引排出手段と、
前記微生物排出領域に排出される飼育水に空気を混合して気泡を発生する気泡発生手段と
を備えるとともに、
前記気泡収集管は、
前記気泡発生手段の上方の水中にあって、前記気泡を収集する気泡収集口と、
前記飼育水槽の水面上にあって、前記気泡を排出する気泡排出口と
を備えることを特徴とする請求項１乃至請求項４の何れかに記載の水中微生物駆除装置。
【請求項７】
前記気泡排出口から前記気泡とともに排出される汚物を収納する汚物容器を備えること
を特徴とする請求項６に記載の水中微生物駆除装置。
【発明の詳細な説明】
【技術分野】
【０００１】
本発明は、魚類の飼育水槽中に棲息する有害微生物を駆除する水中微生物駆除装置に関する。
【背景技術】
【０００２】
白点病は鑑賞用の海水魚の代表的な病気であり、俗に白点虫と呼ばれる繊毛虫の一種のクリプトカリオン  イリタンス（Cryptocaryon irritans）が魚類に寄生して、寄生された魚類を死に至らしめる病気である。白点虫に寄生された魚体に０．５mm以下の白い点が生じるので、この名がある。白点虫は海水中ではありふれた微生物なので、白点病は海水魚飼育の愛好者にとって悩みの種になっている。
【０００３】
図７は、非特許文献１に掲載された白点虫の生活史を示す図である。ここで、図７を参照しながら白点虫の生活史を簡単に説明する。
【０００４】
白点虫はセロント（theront)と呼ばれる「生長した子虫」の状態で海水中を漂う（Ａ）。セロントの平均的な大きさは２５×６０μｍ程度であり、その期間は２４時間から４８時間の間である。
【０００５】
セロントは、やがて魚体に侵入してホロント（phoront)と呼ばれる「感染した子虫」になる（Ｂ）。ホロントは魚体の内部で生長して、トロホント（trophont)と呼ばれる「成虫」になる（Ｃ）。トロホントは魚体に数日間寄生した後、魚体から離脱する（Ｄ）。魚体に寄生する期間は、３日から７日の間である。
【０００６】
この魚体から離脱した成虫を「離脱虫」プロトモント（protomont)と呼ぶ。プロモントの平均的な寸法は２００×２５０μｍ程度であり、その期間は精々１８時間である。
【０００７】
プロトモントは水底に着床しシスト（cyst)と呼ばれる被嚢体を形成し(Ｅ）、シストの内部で分裂して、トーマイト（tomite)と呼ばれる「子虫」が発生する(Ｆ）。トーマイトはシストの中で成長し（Ｇ）、十分に成長するとシストから海水中に脱出する。なお、Ｅ〜Ｇで示した段階、つまりシストの中で休眠中の白点虫はトモント（tomont)と呼ばれる。
【０００８】
トモントの期間は３日から２８日程度とされているが、低温で溶存酸素濃度の低い環境では白点虫はシストの中で休眠することが知られている。したがって、飼育用水槽の底砂の中のような比較的低温で溶存酸素濃度の低い環境では、相当長期間に渡って休眠期間が続くと考えられている。
【０００９】
さて、白点病を予防するためには、飼育水槽内の白点虫を駆除する必要があるが、一般的には薬剤による駆除が行われる。例えば、５０Ｌの水槽に２５ｇの硫酸銅を溶解して飼育水槽内を０．５ppmの硫酸銅水溶液環境にする操作を１２時間置きに６回繰り返したのち、２４時間置きに３回繰り返す方法が知られている。
【００１０】
また、飼育水槽中の飼育水を濾過して、飼育水中を浮遊する白点虫を濾過除去することも有効である。特許文献１には、底砂を積載した細穴付き上げ底を有する水槽と該水槽の上部に載置したフイルターシステム装置を組み合わせて白点虫を濾過除去する海水魚の鑑賞用水槽が開示されている。
【００１１】
また、非特許文献２には、海水を加熱して、水温４０℃の状態を１時間保つと、当該海水中のトモントが死滅することが報告されている。
【００１２】
また、特許文献２には、養殖水を加熱処理漕にて、所要温度、所要時間加熱殺菌した後に所要温度に冷却して飼育水槽に戻す加熱殺菌装置が開示されている。
【００１３】
【特許文献１】特開平０７−２１３１９２号公報
【特許文献２】特開２００３−９２９５５号公報
【非特許文献１】鈴木満平  ”バイオルネッサンス計画水域環境サブチームの研究成果トピックス,”養殖研ニュース  No.44(2000.3),独立行政法人水産総合センター  養殖研究所
【非特許文献２】Noritaka Hirazawa et al. "Killing effect of various treatments on the monogeneanHeterobothrium okamotoi eggs and oncomiracidia and the ciliate Cryptocaryon irritans cysts and theronts," Aquaculture 223 (2003)1-13,Elsevier Science B.V.
【発明の開示】
【発明が解決しようとする課題】
【００１４】
飼育水槽を硫酸銅水溶液環境にすることは、セロントの段階の白点虫に対する駆除方法としては非常に効果的であるが、トモントの段階、つまりシストにくるまって底砂中に潜んでいる白点虫に対しては効果が無いという問題がある。また、硫酸銅は劇薬なので取り扱いが難しく、濃度の管理を間違うと、飼育対象の魚を死なせてしまうおそれがある。また、近年は観賞魚の飼育水槽に生きた珊瑚が付着した岩石等を入れて海中の風景を再現することが流行しているが、珊瑚のような無脊椎動物は硫酸銅（正確に言えば銅イオン）に弱く、硫酸銅を溶解した海水中では死滅してしますので、珊瑚等を入れた飼育水槽では硫酸銅による白点虫の駆除は実施できないという問題がある。
【００１５】
また、特許文献１に記載された鑑賞用水槽は、飼育水中に浮遊するセロントの濾過除去が期待できるが、プロトモントやトモントは水槽の底の底砂内に残るので、白点虫を完全に駆除するのは難しい。
【００１６】
なお、特許文献２に記載された加熱殺菌装置を、非特許文献１に記載された温度及び時間条件で運転すれば、白点虫を効果的に駆除することが期待できるが、特許文献２の加熱殺菌装置は、食用魚用の生け簀を対象にした大がかりな装置なので、観賞魚用の水槽には適用しにくいという問題がある。又、水槽の底に敷いた砂の中に潜り込んだトモントを追い出して、加熱殺菌漕に導く手段を欠いているので、白点虫を完全に駆除するのは難しい。
【００１７】
本発明はかかる課題を解決する為に成されたものであり、飼育対象の魚類や珊瑚等に対する負荷を最小限にとどめるとともに、飼育水槽に棲息する有害な微生物を効果的に駆除する水中微生物駆除装置を提供することを目的とする。
【課題を解決するための手段】
【００１８】
本発明の水中微生物駆除装置の第１の構成は、底面が開放された容器であって、飼育水槽の砂床を被覆して、前記砂床とその近傍の飼育水を前記飼育水槽の他の領域の飼育水から隔離する容器と、前記容器に被覆された前記砂床を掘削撹拌し、前記容器内の飼育水と混合する撹拌混合手段と、前記容器内の飼育水を加熱して、前記飼育水中の微生物を殺虫する加熱殺虫手段とを備えるものである。
【００１９】
この構成によれば、飼育水槽の底部の砂床を掘削撹拌して、前記砂床中に潜り込んでいた微生物を飼育水中に追い出すので、前記砂床中に潜り込んでいた微生物を効果的に殺虫駆除することができる。
【００２０】
なお、撹拌混合手段は、加圧した空気をノズルから吹き出すもの、加圧した水をノズルから吹き出すもの、水車あるいはインペラで水を直接撹拌するものなど、種々の手段を選択できる。
【００２１】
また、加熱殺虫手段には、防水手段を備えたセラミックヒータ等を選択することができるが、紫外線ランプを加熱殺虫手段に選ぶと、加熱殺虫の効果に加えて紫外線による殺菌効果も期待できる。
【００２２】
本発明の水中微生物駆除装置の第２の構成は、前記第１の構成において、前記容器の内部の水の温度を所望の温度に保持する温度調整手段を備えることを特徴とする。
【００２３】
この構成によれば、水中微生物駆除装置の内部の水温を必要最小限の温度に保持することができるので、飼育対象の魚類等に加わる負荷を最小限に留めることができる。
【００２４】
本発明の水中微生物駆除装置の第３の構成は、前記第１又は第２の構成において、前記容器は断熱層を備えた断熱容器であることを特徴とする。
【００２５】
この構成によれば、水中微生物駆除装置の外部の水温上昇を最小限に留めるので、飼育対象の魚類等に加わる負荷を小さくすることができる。
【００２６】
本発明の水中微生物駆除装置の第４の構成は、前記第１乃至第３のいずれかの構成において、前記撹拌手段は空気噴出手段を備えることを特徴とする。
【００２７】
この構成によれば、空気噴出手段から吹き出した空気が、気泡になって水中に拡散し、その気泡の表面に水中のゴミや微生物やその死骸等が付着するので、水中のゴミ等が気泡と共に容器の上部に浮上する。このため、ゴミ等の除去が容易になる。
【００２８】
本発明の水中微生物駆除装置の第５の構成は、前記第１乃至第４のいずれかの構成において、前記容器に連結されて、前記容器の内部上層の水を排出する管を備えることを特徴とする。
【００２９】
この構成によれば、水中のゴミ等が浮上した容器の内部上層の水を管を通じて排出できるので、ゴミ等の除去が更に容易になる。
【００３０】
本発明の水中微生物駆除装置の第６の構成は、前記第１乃至第４のいずれかの構成において、前記容器は、前記撹拌混合手段と前記加熱殺虫手段を備える微生物収集領域と、気泡収集管を備える微生物排出領域に区画され、前記微生物収集領域内の飼育水を吸引して、前記微生物排出領域に排出する吸引排出手段と、前記微生物排出領域に排出される飼育水に空気を混合して気泡を発生する気泡発生手段とを備えるとともに、前記気泡収集管は、前記気泡発生手段の上方の水中にあって、前記気泡を収集する気泡収集口と、前記飼育水槽の水面上にあって、前記気泡を排出する気泡排出口とを備えることを特徴とする。
【００３１】
この構成によれば、水中微生物の駆除と、駆除した微生物の死骸等のゴミの排出を同時に実施できる。
【００３２】
本発明の水中微生物駆除装置の第７の構成は、前記第６の構成において、前記気泡排出口から前記気泡とともに排出される汚物を収納する汚物容器を備えることを特徴とする。
【００３３】
この構成によれば、気泡とともに排出される汚物を汚物容器に収納するので、汚物の処理が容易になる。なお、汚物容器は、前記気泡収集管の気泡排出口の周囲を取り囲むように嵌挿される容器であって、前記気泡収集管に対して着脱自在な容器が好適である。
【発明の効果】
【００３４】
以上説明したように、本発明によれば、飼育水槽の底に敷いた砂の中に潜り込んだ微生物を効果的に駆除するとともに、飼育対象の魚類等に加わる負荷を最小限に留め、魚類等の病気の発生を予防する効果がある。
【発明を実施するための最良の形態】
【００３５】
以下、本発明を実施するための最良の形態について、図面を参照しながら説明する。
【実施例１】
【００３６】
図１は、本発明の実施例１に係る水中微生物駆除装置の概念図であり、説明の都合のため一部を断面図示している。図２において、１０は飼育水槽であり、２０は飼育水槽１０の水底に設置した水中微生物駆除装置である。
【００３７】
飼育水槽１０は、海水産の観賞魚を飼育して鑑賞するための水槽であり、その内部は海水１１（飼育水）で満たされ、その底部には底砂１２が敷き詰められて砂床を形成している。また、海水１１は図示しない温度調節装置によって観賞魚の飼育に適した温度に保持されている。観賞魚の排泄物に由来する海水１１中のアンモニアは図示しない濾過装置によって、硝酸塩に変えて、更にその硝酸塩を窒素と水に分解することによって除去されている。
【００３８】
水中微生物駆除装置２０は、容器２１、撹拌混合装置２２、セラミックヒータ２３、温度調整装置２４、及び排水管２５から構成されている。
【００３９】
容器２１は、底面が開放され、側面と上面が密閉された直方体の容器である。つまり容器２１は小型の水槽の上下を逆さにした形態を備えている。容器２１の素材は特に限定されないが、強度と水密性に優れたプラスチックなどが望ましい。また、容器２１の内部の熱が外部に逃げないように、容器２１の外側に断熱シートを貼り付けたり、容器２１の素材自体を断熱性の高い材料としてもよい。また、容器２１の一部または全部を透明にして、容器２１の内部を外部から観察できるようにしてもよい。また、容器２１の下端の縁部にはパッド２６が備えられている。パッド２６は、例えば、発泡ウレタン樹脂のような柔軟な素材で構成されて、底砂１２の層の表面に密着して、容器２１の内部の海水１１や底砂１２が、外部に流出するのを防ぐシールとして機能する。
【００４０】
撹拌混合装置２２は、容器２１の内部に取り付けられている。撹拌混合装置２２は一種の電動ポンプであり、側面に設けた吸入口２７から吸入した海水１１を加圧して、先端のノズル２８から図示しない空気源（例えば、エアコンプレッサ）から供給される空気と共に噴射して、底砂１２を掘削し、海水１１と混合する装置である。また、ノズル２８は図示しないアクチュエータによって揺動して、容器２１の下にある底砂１２に満遍なく水流を吹き付ける。ノズル２８を揺動させる代わりに、多数のノズルを放射状に配置してもよい。
【００４１】
撹拌混合装置２２は、電動ポンプ以外の装置で構成してもよい、例えば、高圧空気を旋回自在に支持されたノズルの先端から噴射して底砂１２に高圧空気を吹き付けるとともに、その噴射の反動で前記ノズルを旋回させるスプリンクラー類似の装置とすれば、撹拌混合装置２２の内部にモータ等を備える必要がないので、軽量かつ安価に撹拌混合装置２２を構成することができる。また、水車あるいはインペラを回転して海水１１と底砂１２を撹拌する装置を撹拌混合装置２２としてもよい。
【００４２】
セラミックヒータ２３は、容器２１の内部の海水１１を加熱する手段であり、容器２１の容積と、有害微生物の駆除に必要とされる温度に相当する発熱量を備えたものを選ぶ。つまり、白点虫のトモントの駆除を目的する場合、容器２１の内部の海水１１を少なくとも４０℃以上に加熱できるものを選ぶ。
【００４３】
なお、加熱手段はセラミックヒータ２３に限られるものではない。水中で安全に加熱できるものであれば、他の装置、例えば、紫外線ランプその他の電熱ヒータ等で置き換えても良い。
【００４４】
温度調整装置２４は、容器２１の内部の海水１１の温度を所望の温度に保持する装置であり、容器２１の内部に備えた温度センサ２９で計測した海水１１の温度の高低に応じて、セラミックヒータ２３に供給する電力を加減する装置である。
【００４５】
排水管２５は、容器２１と外気を結ぶチューブであり、容器２１の上面に連結されている。排水管２５は図示しない排水ポンプに連結されて、容器２１内部の海水１１の一部を排水する。又、容器２１を飼育水槽１０に沈設する際は、排水管２５は容器２１の内部の空気を逃がす空気抜き管として機能する。図２に示すように、容器２１を飼育水槽１０を沈める際は、容器２１の内部の空気は排水管２５から抜け、容器２１の底面から海水１１が容器２１の内部に侵入するので、容器２１は容易に沈降する。
【００４６】
図３は駆除動作中の水中微生物駆除装置２０を示す図である。図３に示すように、ノズル２８から海水１１を空気と共に、底砂１２に向けて吹き付けると、底砂１２は水圧で巻き上げられるので、底砂１２の中に潜んでいた微生物は水中に追い出される。また、ノズル２８から噴出した空気は水中で気泡３０を形成し、気泡３０は水中に追い出された底砂１２の中の微生物やゴミなどに付着して、これらを容器２１の上部に浮上させる。
【００４７】
また、容器２１内の海水１１はセラミックヒータ２３によって、駆除対象の微生物が生存できない温度（対象が白点虫のトモントならば４０℃）まで加熱されるので、容器２１の上部に浮上した微生物は、やがて死に至る。
【００４８】
図４は駆除動作終了後の水中微生物駆除装置２０を示す図である。図４に示すように、所定の時間の経過後に、撹拌混合装置２２による海水１１と底砂１２の撹拌と、セラミックヒータ２３による加熱を停止すると、底砂１２は比重が大きいので、飼育水槽１０の底部に沈降し、微生物の死骸３２やゴミは容器２１の上部に浮く。この時、排水ポンプ３１を排水管２５に繋いで、微生物の死骸３２等を海水１１と共に外部に排出する。
【００４９】
駆除動作終了後も、容器２１の内部の水温は、飼育水槽１０の本来の水温に較べて高いので、容器２１の内部の海水１１をそのまま放出すると飼育対象の魚にダメージを与える場合がある。そのため内部の水温が低下するまで、容器２１をそのまま沈設しておく。このとき、適度な圧力の空気を撹拌混合装置２２に供給して、ノズル２８から水中に放出して、排水管２５から排気すれば、容器２１の内部の海水１１の冷却を促進できる。あるいは、容器２１と外気の間にヒートパイプのような熱運搬手段を備えてもよい。
【００５０】
また、水中微生物駆除装置２０による微生物駆除を開始する前に、飼育水槽１０中の魚を別の水槽に退避させて、微生物駆除が完了して、飼育水槽１０の水温が元の温度に戻った後に魚を飼育水槽１０に戻すならば、前述のような容器２１の内部の冷却のための操作や、装置は省略してもよい。
【００５１】
飼育水槽１０の底部において、水中微生物駆除装置２０を沈設する場所を移動して、飼育水槽１０の底部の全面積について、微生物駆除を繰り返せば、飼育水槽１０の底部に敷いた底砂１２に潜んだ全ての微生物を駆除することができる。
【実施例２】
【００５２】
図５は、本発明の実施例２に係る水中微生物駆除装置の概念図であり、説明の都合のため一部を断面図示している。図５において、１０は飼育水槽であり、４０は飼育水槽１０の水底に設置した水中微生物駆除装置である。
【００５３】
水中微生物駆除装置４０は容器４１、セラミックヒータ４５、シャワーパイプ４６、ストレーナ４７、連絡管４８、水中ポンプ４９、空気管５１、気泡収集筒５３及び、汚物容器５４を備えている。
【００５４】
容器４１は、底面が開放され、側面及び上面が囲閉された容器であり、その内部は収集区画４２と排出区画４３に区画されている。なお容器４１は、肉厚のゴム材で成形されている。肉厚にしたのは、断熱効果と、水中微生物駆除装置４０が浮き上がるのを防ぐバラストとしての機能を求めたためである。又、収集区画４２の最上部には弁４４を備えている。弁４４は、水中微生物駆除装置４０を飼育水槽１０に沈設する際に開放して、容器４１内部の空気を排出して、浮力を除去する空気抜き弁である。
【００５５】
セラミックヒータ４５は、図示しない温度調整装置によって制御されて、収集区画４２内部の水を所望の温度に加熱する加熱手段である。
【００５６】
シャワーパイプ４６はポンプを内蔵して、収集区画４２内部の水を加圧して、底砂１２に向けて噴射して、底砂１２を掘削して収集区画４２内で巻き上げて、底砂１２と水を撹拌混合する撹拌混合手段である。
【００５７】
ストレーナ４７は連絡管４８を介して水中ポンプ４９に接続され、水中ポンプ４９の吸引力によって、収集区画４２内部の水を吸引する。収集区画４２から、ストレーナ４７の中に入った水は連絡管４８と水中ポンプ４９を通って、排出区画４３に送られる。なお５０は、連絡管４８の途中に装置された流量調整弁である。
【００５８】
空気管５１は、外気と連絡管４８を連絡する空気の流路であり、水中ポンプ４９の吸引力によって空気が吸い込まれる。
【００５９】
収集区画４２から連絡管４８を通って流れて来た水と、外気から空気管５１を通って吸い込まれた空気は、水中ポンプ４９の流入口４９ａに流入し、排出口４９ｂから排出区画４３に排出される。この時、前記空気は気泡５２を形成し、気泡５２の表面には前記水に含まれていた微生物の死骸等の汚物が付着する。
【００６０】
気泡収集筒５３は、水中ポンプ４９の排出口４９ｂの直上に収集口５３ａを備え、飼育水槽１０の水面上に排出口５３ｂを備えて、水中ポンプ４９の排出口４９ｂから排出される気泡５２を収集して排出する筒である。気泡収集筒５３の収集口５３ａは気泡５２を逃さないように径を拡げるのが望ましく、気泡収集筒５３の上部は、気泡５２の上昇を促すために径を絞るのが望ましいので、気泡収集筒５３は全体として漏斗を伏せたような形状をなしている。気泡収集筒５３内を上昇した気泡５２は、排出口５３ｂから溢れ出る。
【００６１】
気泡収集筒５３の排出口５３ｂから溢れ出た気泡５２は、排出口５３ｂを取り囲む汚物容器５４に落下し、汚物容器５４には気泡５２に付着していた微生物の死骸等の汚物が溜まる。
【００６２】
図６は、汚物容器５４の斜視図である。汚物容器５４は図６に示すような円筒状のカップであり、底板の中央に気泡収集筒５３と着脱自在に嵌合する開口５４ａと内筒５４ｂを備えている。また、内筒５４ｂの内側には、Ｏリング（図示せず）を装着し、内筒５４ｂと気泡収集筒５３の間の隙間からゴミ等が漏れるのを防いでいる。
【００６３】
なお、本実施例では、水中ポンプ４９で空気を吸引して気泡５２を発生させたが、気泡発生手段を別個に備えてもよい。例えば、飼育水槽１０の外に備えたエアーポンプから加圧した空気を気泡収集筒５３の下方に導いて、エアストーンから噴出させてもよい。
【図面の簡単な説明】
【００６４】
【図１】本発明の実施例１に係る水中微生物駆除装置の概念図である。
【図２】水中微生物駆除装置を飼育水槽に沈設する過程を示す図である。
【図３】駆除動作中の水中微生物駆除装置を示す図である。
【図４】駆除動作終了後の水中微生物駆除装置を示す図である。
【図５】本発明の実施例２に係る水中微生物駆除装置の概念図である。
【図６】汚物容器の斜視図である。
【図７】白点虫の生活史を示す図である。
【符号の説明】
【００６５】
１０  飼育水槽  
１１  海水
１２  底砂
２０  水中微生物駆除装置
２１  容器
２２  撹拌混合装置
２３  セラミックヒータ
２４  温度調整装置
２５  排水管
２６  パッド
２７  吸入口
２８  ノズル
２９  温度センサ
３０  気泡
３１  排水ポンプ
３２  微生物の死骸
４０  水中微生物駆除装置
４１  容器
４２  収集区画
４３  排出区画
４４  弁
４５  セラミックヒータ
４６  シャワーパイプ
４７  ストレーナ
４８  連絡管
４９  水中ポンプ
４９a 流入口
４９b 排出口
５０  流量調整弁
５１  空気管
５２  気泡
５３  気泡収集筒
５３a 収集口
５３b 排出口
５４  汚物容器
５４a 開口
５４b 内筒
【要約】
【課題】飼育対象の魚類や珊瑚等に対する負荷を最小限にとどめるとともに、飼育水槽に棲息する有害な微生物を効果的に駆除する水中微生物駆除装置を提供する。
【解決手段】底面が開放されて、飼育水槽１０の底砂１２を被覆して、底砂１２とその近傍の海水１１を飼育水槽１０の他の領域の海水１１から隔離する容器２１と、底砂１２を掘削して、海水１１と撹拌混合する撹拌混合手段２２と、海水１１を加熱するセラミックヒータ２３とを備える。
【選択図】        図１
【図１】
0003699108.tif 000002
【図２】
0003699108.tif 000003
【図３】
0003699108.tif 000004
【図４】
0003699108.tif 000005
【図５】
0003699108.tif 000006
【図６】
0003699108.tif 000007
【図７】
0003699108.tif 000008